(57)【要約】      （修正有）【課題】前照灯を、点灯モードと点滅モードに使い分ける際、照射角度を変え手間が多くかかり、本発明は操作性、安全性で質の高い照明装置取付け具を提供する。【解決手段】取付け対象物に取付ける締付け部３、その上方に位置する本体部４、締付け部と本体部を結合する調整バネ７、照明装置を固定する固定部９とから構成され、調整バネには左右各２つの突起５，６があり、突起の１つは締付け部と本体部を貫通する軸となり、他の突起は本体部の他の孔を貫通し回動支点となり、締付け部に設けた回動支点の動作上にある複数の孔１６に嵌ることで、本体部や固定部が締付け部と相対的に上下に回動する照明装置取付け具。【選択図】図１
2006123758.tif 000002
【特許請求の範囲】
【請求項１】
取付け対象物の構成部品に取付けられる締付け部と、前記締付け部の上方に位置する本体部と、前記締付け部と前記本体部を結合する調整バネと、照明装置を着脱する時に操作する着脱ボタンと、照明装置を固定する固定部と、前記本体部と前記固定部を係合させる結合部品から構成され、前記締付け部と前記本体部には左右に複数の孔があり、また前記調整バネからは突起が左右各２つ以上出ており、前記突起の１つは前記締付け部と前記本体部の孔を貫通する軸となり、もう一つの突起は前記本体部の他の孔を貫通し回動支点となり、前記締付け部に設けた前期回動支点の動作上にある複数の孔に嵌ることにより前記本体部と前記固定部が一体となって、前記締付け部と相対的に上下に回動する構造を有していることを特徴とする照明装置取付け具。
【請求項２】
取付け対象物の構成部品に取付けられる締付け部と、前記締付け部の上方に位置する本体部と、前記締付け部と前記本体部を結合する調整バネと、照明装置を着脱する時に操作する着脱ボタンと、照明装置を固定する固定部と、前記本体部と前記固定部を係合させる結合部品から構成され、前記固定部から前記着脱ボタンと前記本体部を貫通する円柱形状の突起が出ており前記突起を軸に前記固定部と前記着脱ボタンが一体となり、前記本体部に対し左右に回動する構造を有していることを特徴とする請求項１記載の照明装置取付け具。
【発明の詳細な説明】
【技術分野】
【０００１】
本発明は主に自転車のハンドル等に取付けて使用する照明装置を、その対象物に固定するための取付け具に関するものである。
【背景技術】
【０００２】
従来、自転車のハンドル等に取付けて使用する照明装置をその対象物に固定するための取付け具には、特許文献１に示すような自転車のハンドル形状によって異なってしまう照明装置の照射方向を、左右に調整する機能を持たせることにより、自転車前方の真中領域の路面を照らし出すことを可能としているものがある。一方、近年の照明装置は光源にＬＥＤを用いた製品が多くみられるようになり、その多くは路面を照らし出し前照灯として使用する点灯モードと、周囲の車や歩行者に自分の存在を知らしめるための信号灯として使用する点滅モードを切り替えて使用できる機能を持っている。この各々の機能を発揮させるには点灯モード時は水平よりやや下方、点滅モード時は水平に照射方向をする事が望ましい。しかしながら従来の照明装置取付け具には、先に述べたように左右の角度調整機能は持っていても上下の角度調整機能を持ったものは存在しない。
【特許文献１】特開２００４−１８９１２７号公報
【発明の開示】
【発明が解決しようとする課題】
【０００３】
本発明は、主に自転車用の照明装置をハンドル等に取付ける際に使用する取付け具を提供するものである。
【０００４】
本発明の解決する技術問題は、前照灯として使用する点灯モード時と信号灯として使用する点滅モード時を使い分ける際に、上下の照射角度を変えて取付け直したり、無理やり本体部を上下に動かして照射角度を変えたりしなければならず手間が多いため、自転車に乗りながら操作ができないことである。
【課題を解決するための手段】
【０００５】
本発明は前記課題を解決するために、取付け対象物の構成部品に取付けられ左右側面に複数の孔をもつ締付け部と、前記締付け部の上方に位置し左右側面に複数の孔をもつ本体部と、前記締付け部と前記本体部の左右側面の孔に貫通することにより２つの部品を結合するとともに、それ自身にバネ性を持たせた調整バネと、照明装置を着脱する時に操作する着脱ボタンと、照明装置を固定する固定部と、前記本体部と前記固定部を係合させる結合部品から構成され、前記固定部からは前記着脱ボタンと前記本体部を貫通する円柱形状の突起が出ており前記突起を軸に前記固定部と前記ボタンが、前記本体部と相対的に左右に回動する構造を有していることと、前記調整ボタンから前記締付け部と前記本体部の左右側面の孔に貫通する突起が左右各２つ以上出ており前記突起の１つを軸に前記本体部と前記固定部が一体となって、前記締付け部と相対的に上下に回動する構造を有している。
【発明の効果】
【０００６】
以上の説明から明らかなように、本発明は上記した構成によりワンタッチで照射方向を上下に調整することを可能とすることで、路面を照らし出し前照灯として使用する点灯モードと、周囲の車や歩行者に自分の存在を知らしめるためのマーカーとして使用する点滅モード、各々の機能を十分に発揮させることができ、操作性・安全性で品質の高い照明装置取付け具を提供できる。
【発明を実施するための最良の形態】
【０００７】
以下本発明の一実施例について図面を参照して説明する。
【０００８】
図１に示すように、自転車のハンドルに巻きつけて固定するバンド１、ハンドルの外径に合わせ前記バンド１の長さを調整する為のバンド止め２、前記バンド１を保持する締付け部３、前記締付け部３の上方に位置する本体部４、前記締付け部３と前記本体部４には左右の側面に各々複数の孔があり、前記締付け部３の孔と前記本体部４の孔を貫通する左右各２つの円柱形状の突起Ａ５と突起Ｂ６をもつ調整バネ７によって前記締付け部３と前記本体部４は結合されている。更に照明装置８を固定する固定部９、前記本体部４と前記固定部９を係合させる結合部品１０、前記本体部４と前記固定部９に挟まれるように位置し前記照明装置８を前記固定部９から外す際に使用する着脱ボタン１１、前記締付け部３と前記本体部４と前記調整バネ７の左右の側面に設けた孔を貫通し前記調整バネ７に固定されている調整ボタン１２により構成されている。
【０００９】
上記構成において動作を説明する。固定部９の天面が地面に対し水平になるように自転車のハンドルに乗せた状態で、前記バンド１をハンドルに巻きつける。
【００１０】
巻き付けた前記バンド１の先端にあるバンド止め２を前記締付け部３にある凸部１３に引掛けることにより、取付け具を自転車のハンドルにしっかりと固定する。前記照明装置８の下部には凸レール１４があり前記凸レール１４に沿うように前記固定部９は嵌合される。前記固定部９からは前記着脱ボタン１１と前記本体部４を貫通する円柱形状の突起１５が出ており、ハンドルへの取付け位置等により前記照明装置８からの光が自転車前方の真中領域の路面を照らし出すことができない場合は、前記結合部品１０を緩めることで、前記照明装置８と前記固定部９が前記突起１５を軸にしてハンドルに対し相対的に左右に回転可能となり照射方向を調整でき、調整後前記結合部品１０を締付けることで照射方向を固定できる。この状態で左右の前期調整ボタン１２を押すと前記調整バネ７の左右にある突起Ａ５が内側に逃げることで前記締付け部３の孔から開放され、もう一方の突起Ｂ６を軸に上下方向に回転可能となる。前期締付け部３と前期本体部４の左右の側面には、突起Ｂ６を中心として突起Ａ５の回転円上に１０〜２０度のピッチでもう一つ別の孔１６が上方にあいており、前記照明装置８を下向きに下げると突起Ａ５が孔１６に嵌ることにより上下方向の照射角度が固定される。
【００１１】
このように本発明の実施例の照明装置取付け具によれば、前記照明装置８を点灯させた時は照射方向を下げて路面を照らしだし、前記照明装置８を点滅させた時は照射方向を上げることで周りの人物に対し被視認性を向上させる。操作性・安全性で品質の向上を図ることができる。
【図面の簡単な説明】
【００１２】
【図１】本発明の一実施例における照明装置取付け具と照明装置の外観側面図
【図２】同照明装置取付け具の断面図
【図３】同照明装置取付け具の図１のＡ−Ａ断面図
【図４】本発明の一実施例における照明装置の後方から見た平面図
【符号の説明】
【００１３】
１  バンド
２  バンド止め
３  締付け部
４  本体部
５  突起Ａ
６  突起Ｂ
７  調整バネ
８  照明装置
９  固定部
１０  結合部品
１１  着脱ボタン
１２  調整ボタン
１３  凸部
１４  凸レール
１５  突起
１６  孔
【図１】
2006123758.tif 000003
【図２】
2006123758.tif 000004
【図３】
2006123758.tif 000005
【図４】
2006123758.tif 000006